(57)【要約】【課題】電源接続用端子台の固定方法を工夫することで、電源作業性を容易にしながら、吸込空気により機体が高温になる場合での電源接続用端子台の温度の上昇を防止できる消音ボックス付送風機を提供すること。【解決手段】箱状の機体３の内部に遠心送風機９を備え、電源接続用端子台１７を固定した端子台ベース１８を内部に備える端子台ボックス１９を機体３のひとつの側面に設け、端子台ベース１８は、端子台ボックス１９を構成している面のうち機体３内の風路８に面した面である端子台ボックス風路側表面２０とは空間を設けて配置する構成としたことにより、電源作業性を容易にしながら、吸込空気により機体が高温になる場合での電源接続用端子台の温度の上昇を防止できるという効果のある消音ボックス付送風機を提供できる。【選択図】図１
2010270693.tif 000002
【特許請求の範囲】
【請求項１】
機体吸込口と機体吹出口を対向して設け内部に風路が形成される箱状の機体と、この機体内部に渦巻状のスクロールケーシングを備えた遠心送風機とで構成される消音ボックス付送風機であって、電源接続用端子台を固定した端子台ベースを内部に備える端子台ボックスを前記機体のひとつの側面に設け、前記端子台ベースは、前記端子台ボックスの面のうち前記機体内の風路に面した面とは空間を設けて配置する構成としたことを特徴とする消音ボックス付送風機。
【請求項２】
前記端子台ベースは、前記電源接続用端子台との接触面の端部に曲げ部を設けた矩形形状とし、この曲げ部の端部を前記風路に面した前記端子台ボックスの面に向けて取り付けする構成としたことを特徴とする請求項１記載の消音ボックス付送風機。
【請求項３】
前記端子台ボックスを前記機体と分離した部品として前記機体にねじ止め取り付けする構成としたことを特徴とする請求項１または２記載の消音ボックス付送風機。
【請求項４】
前記端子台ベースと前記風路に面した前記端子台ボックスの面の間に空間を設け、前記端子台ボックスには、蓋となる端子カバーを設け、この端子カバーに連通通気口を設ける構成としたことを特徴とする請求項１から３のいずれかに記載の消音ボックス付送風機。
【請求項５】
前記端子カバーに、前記連通通気口とは別に電源線挿入用開口をに設ける構成としたことを特徴とする請求項４記載の消音ボックス付送風機。
【請求項６】
前記端子台ベースと前記風路に面した前記端子台ボックスの面の間の空間は、垂直方向に対向する２面が開口して前記端子台ボックス内と連通した請求項１から５のいずれかに記載の消音ボックス付送風機。
【請求項７】
前記端子台ベースと前記風路に面した前記端子台ボックスの面の間の空間を５〜２０ｍｍとする請求項６記載の消音ボックス付送風機。
【請求項８】
前記風路に面した前記端子台ボックスの面の裏面となる機体内の風路側に、断熱材を配置する構成としたことを特徴とする請求項１から７のいずれかに記載の消音ボックス付送風機。
【請求項９】
前記風路に面した前記端子台ボックスの面を断熱材料で形成する構成としたことを特徴とする請求項８に記載の消音ボックス付送風機。
【請求項１０】
前記風路内のドレン水を受けるドレンパンを、機体底面に配置する構成としたことを特徴とする請求項１から９のいずれかに記載の消音ボックス付送風機。
【発明の詳細な説明】
【技術分野】
【０００１】
本発明は、換気送風機器など消音ボックス内部に送風機を内蔵して使用される消音ボックス付送風機に関する。
【背景技術】
【０００２】
従来、この種の送風機としては、遠心送風機を機体の外面の上部側に配置し、スクロールケーシングの側面に電源を接続した手元スイッチを設けたものが知られている（例えば、特許文献１参照）。
【０００３】
以下、その送風機について、図８および図９を参照しながら説明する。
【０００４】
図８および図９に示すように、チャンバー状の機体１０１の機体吸込口１０２に吸込側ダクト１０３、遠心送風機１０４のスクロールケーシング１０５のスクロールケーシング吹出口１０６に吹出側ダクト１０７を接続し、スクロールケーシング１０５の下部開口であるスクロールケーシング吸込口１０８と機体１０１の上部の機体上部開口１０９を接続し、スクロールケーシング１０５の側面に電源１１０を接続した手元スイッチ１１１を配置した構成となっている。
【０００５】
そして、遠心送風機１０４を運転すると、室内１１２の空気は、吸込側ダクト１０３を通って機体１０１を介してスクロールケーシング吸込口１０８に導風され、モーター１１３にて回転する羽根車１１４からスクロールケーシング吹出口１０６から吹出側ダクト１０７を通り室外１１５に排気されている。室内が厨房の場合、空気には油煙や燃焼排ガスが含まれているので、油分ダストに対応してスクロールケーシング吹出口１０６近傍には油分ダストを捕集するドレン器１１６を設け、また高い燃焼温度に対応してモーター１１３や手元スイッチ１１１を機体１０１の外部に配置している。
【先行技術文献】
【特許文献】
【０００６】
【特許文献１】特開平６−１４７５８２号公報
【発明の概要】
【発明が解決しようとする課題】
【０００７】
このような従来の送風機では、一般の電源接続用端子台などは、端子台を構成する材料には絶縁性が必要であることから樹脂材料を使用しなければならないため、使用可能な許容温度が最大７０℃程度に限定されている。そのため、厨房の排気換気の場合など吸込空気が高温になる場合、吸込側ダクトからの高温気流が直接衝突する風路に面する場所には、電源接続部を固定できない。すなわち、遠心送風機と機体を分離構造として、羽根車の回転による高速気流により比較的温度が低い遠心送風機側に電源接続部を設ける必要がある。その結果、送風機全体が大型になり、また遠心送風機の騒音が外部に放出されるため、吸込空気により機体が高温になる場合での電源接続部の温度の上昇を防止したいという課題がある。
【０００８】
本発明は、このような従来の課題を解決するものであり、電源接続用端子台を風路に面する機体に固定する際、電源作業性を容易にしながら、吸込空気により機体が高温になる場合での電源接続用端子台の温度の上昇を防止できる消音ボックス付送風機を提供することを目的とする。
【課題を解決するための手段】
【０００９】
本発明の消音ボックス付送風機は、上記目的を達成するために、機体吸込口と機体吹出口を対向して設け内部に風路が形成される箱状の機体と、この機体内部に渦巻状のスクロールケーシングを備えた遠心送風機とで構成される消音ボックス付送風機であって、電源接続用端子台を固定した端子台ベースを内部に備える端子台ボックスを前記機体のひとつの側面に設け、前記端子台ベースは、前記端子台ボックスの面のうち前記機体内の風路に面した面である端子台ボックス風路側表面とは空間を設けて配置する構成としたものである。
【発明の効果】
【００１０】
本発明によれば、機体吸込口と機体吹出口を対向して設け内部に風路が形成される箱状の機体と、この機体内部に渦巻状のスクロールケーシングを備えた遠心送風機とで構成される消音ボックス付送風機であって、電源接続用端子台を固定した端子台ベースを内部に備える端子台ボックスを前記機体のひとつの側面に設け、前記端子台ベースは、前記端子台ボックスの面のうち前記機体内の風路に面した面である端子台ボックス風路側表面とは空間を設けて配置する構成としたことにより、電源作業性を容易にしながら、吸込空気により機体が高温になる場合での電源接続用端子台の温度の上昇を防止できるという効果のある消音ボックス付送風機を提供することができる。
【図面の簡単な説明】
【００１１】
【図１】本発明の実施の形態１の消音ボックス付送風機の平面構成図
【図２】同消音ボックス付送風機の側面構成図
【図３】同消音ボックス付送風機の設置状態を示す側面構成図
【図４】同消音ボックス付送風機の構造での端子台ベースの温度測定結果を示すグラフ
【図５】本発明の実施の形態２の消音ボックス付送風機の端子台ベース部分の斜視図
【図６】本発明の実施の形態３の消音ボックス付送風機の平面構成図
【図７】本発明の実施の形態４の消音ボックス付送風機の側面構成図
【図８】従来の送風機の側面構成図
【図９】同送風機の平面構成図
【発明を実施するための形態】
【００１２】
本発明の請求項１記載の消音ボックス付送風機は、機体吸込口と機体吹出口を対向して設け内部に風路が形成される箱状の機体と、この機体内部に渦巻状のスクロールケーシングを備えた遠心送風機とで構成される消音ボックス付送風機であって、電源接続用端子台を固定した端子台ベースを内部に備える端子台ボックスを前記機体のひとつの側面に設け、前記端子台ベースは、前記端子台ボックスの面のうち前記機体内の風路に面した面とは空間を設けて配置したため、電源接続用端子台が機体外部から確認し易い位置にでき、また吸込空気により機体が高温になる場合での端子台ボックス風路側表面の高い温度が電源接続用端子台に伝熱することを防止できるという作用を有する。
【００１３】
また、前記端子台ベースは、前記電源接続用端子台との接触面の端部に曲げ部を設けた矩形形状とし、この曲げ部の端部を前記風路に面した前記端子台ボックスの面に向けて取り付けする構成としたものであり、前記曲げ部の端部を機体側である端子台ボックス風路側表面に向けた分、電源接続用端子台を端子台ボックス風路側表面から曲げ部の高さ分の空間を設けて配置できるという作用を有する。
【００１４】
また、前記端子台ボックスを前記機体と分離した部品として前記機体にねじ止め取り付けするものであり、電源接続用端子台を端子台ボックスにつけた状態で機体から取り外して電源接続用端子台への電源作業ができるという作用を有する。
【００１５】
また、前記端子台ベースと前記風路に面した前記端子台ボックスの面の間に空間を設け、前記端子台ボックスには、蓋となる端子カバーを設け、この端子カバーに連通通気口を設ける構成としたものであり、端子台ベースと端子台ボックス風路側表面の間の空間の空気が抵抗なく出入りして、端子カバーの連通通気口からの空気と交わることができるという作用を有する。
【００１６】
また、前記端子カバーに、前記連通通気口とは別に電源線挿入用開口をに設ける構成としたものであり、取り扱いしたい吸込空気の温度の高さに応じて、連通通気口の開口面積を簡単に設計できるという作用を有する。
【００１７】
また、前記端子台ベースと前記風路に面した前記端子台ボックスの面の間の空間は、垂直方向に対向する２面が開口して前記端子台ボックス内と連通したものであり、吸込空気により機体が高温になる場合に、端子台ベースと端子台ボックス風路側表面の間の暖かい空間は上昇気流として抵抗なく上部より排出して、端子カバーの連通通気口からの空気と交わることができるという作用を有する。
【００１８】
また、前記端子台ベースと前記風路に面した前記端子台ボックスの面の間の空間を５〜２０ｍｍとしたものであり、端子台ベースと端子台ボックス風路側表面の間の空間の空気が抵抗なく出入りしながら、端子台ベースを必要な最小限の寸法にできるという作用を有する。
【００１９】
また、前記風路に面した前記端子台ボックスの面の裏面となる機体内の風路側に、断熱材を配置する構成としたものであり、吸込空気により機体が高温になる場合での端子台ボックス風路側表面の温度上昇を防止できるという作用を有する。
【００２０】
また、前記風路に面した前記端子台ボックスの面を断熱材料で形成する構成としたものであり、端子台ボックス風路側表面と断熱材を一体の断熱材料で形成して配置したため、吸込空気により機体が高温になる場合での端子台ボックス風路側表面の温度上昇を防止できるという作用を有する。
【００２１】
また、前記風路内のドレン水を受けるドレンパンを、機体底面に配置する構成としたものであり、吸込空気により機体が高温かつ高湿になる場合に、風路内の内部結露により発生するドレン水を排水できるという作用を有する。
【００２２】
以下、本発明の実施の形態について、図面を参照しながら説明する。
【００２３】
（実施の形態１）
図１および図２に示すように、本発明の第１の実施の形態の消音ボックス付送風機は、機体吸込口１と機体吹出口２を箱状の機体３の対向する側面に設けている。機体３には、機体吸込口１に吸込側ダクト４を接続する吸込アダプター５を配し、機体吹出口２には、吹出側ダクト６を接続する吹出アダプター７を配している。機体３の内部には、機体吸込口１から機体吹出口２に至る風路８を有し、その風路８に遠心送風機９を備えている。遠心送風機９は機体吹出口２に対向した吐出口１０と渦巻状のスクロールケーシング１１とケーシング吸込口１２を設けたケーシング側板１３を両側面に備えている。羽根車１４は、ケーシング吸込口１２近傍に固定したモーター１５により駆動される。また、ケーシング吸込口１２に対向する機体３の一面には、点検用開口部１６を備えている。
【００２４】
機体３のひとつの側面には、電源接続用端子台１７を固定した端子台ベース１８を内部に備える端子台ボックス１９を設ける。端子台ベース１８は、電源接続用端子台１７と接触する面（電源接続用端子台接触面２１）と、その両端に設けた曲げ部２２とで構成される矩形形状である。曲げ部の端部２３を端子台ボックス１９の風路側の面（端子台ボックス風路側表面２０）に向けて取り付けている。このように構成した端子台ベース１８は、端子台ボックス１９を構成している面のうち機体３内の風路８に面した面（端子台ボックス風路側表面２０）とは空間を設けて配置することになる。端子台ボックス１９は、機体３と分離した部品として機体３にねじ止めで取り付けている。端子台ベース１８と端子台ボックス風路側表面２０とは、平行に設置され、端子台ベース１８と端子台ボックス風路側表面２０の間の空間と、機体３の外面空気とが連通するよう、端子台ボックス１９を閉塞する端子カバー２４に連通通気口２５が設けられている。さらに、端子カバー２４には、電源接続用端子台１７に接続する電源線２６を通すため、電源線挿入用開口２７も設けられている。連通通気口２５と電源線挿入用開口２７とは、別の場所に設けている。
【００２５】
なお、連通通気口２５は外部からの埃や水の浸入を防ぐため、ルーバー形状であることが望ましい。
【００２６】
図３に示すように、機体３は、天井裏３０において機体吸込口１に吸込側ダクト４、機体吹出口２に吹出側ダクト６を接続して施工される。そして、遠心送風機９を運転すると、室内３１の空気が吸込側ダクト４、遠心送風機９を介して吹出側ダクト６を通過し、室外３２に排気するものである。天井裏３０と室内３１は天井材３３で仕切られ、機体３の下方には、天井材３３に天井点検口３４を備えている。室内３１が厨房である場合、吸込側ダクト４の室内３１側の端部にはグリスフィルター３５が設けられ、その下部に調理用コンロ３６が配置される。
【００２７】
また、図４は、上記構成において、実際に、風路８側に５０℃、８３℃、１０６℃の高温気流を流し、風路８側の温度と端子台ベース１８の温度の相関を測定確認した結果のグラフである。測定結果から、風路８側の温度が８０℃の場合、端子台ベース１８の温度は５７．５℃となり、機体３内を通過する空気よりも２２．５℃低い温度できた。すなわち、一般の電源接続用端子台の使用可能な許容温度７０℃に対し、使用上問題ないことがグラフから確認できる。なお、端子台ボックス１９の外部は天井裏３０の温度を想定して２５℃に設定し、端子台ベース１８と端子台ボックス風路側表面２０との空間は１２ｍｍの距離に設定した。
【００２８】
このように、端子台ベース１８を端子台ボックス風路側表面２０とは空間を設けて配置しているため、電源接続用端子台１７が機体３外部から確認し易い位置にできる。また吸込空気により機体３が高温になる場合にも端子台ボックス風路側表面２０の高い温度が電源接続用端子台１７に伝熱することを防止できる。
【００２９】
また、端子台ベース１８の電源接続用端子台接触面２１の端部に曲げ部２２を設けた矩形形状としているため、曲げ部の端部２３を機体３側である端子台ボックス風路側表面２０に向けた分、電源接続用端子台１７を端子台ボックス風路側表面２０から曲げ部２２の高さ分の空間を設けて配置できる。
【００３０】
また、端子台ボックス１９を機体３と分離した部品として機体３にねじ止め取り付けしたため、電源接続用端子台１７を端子台ボックス１９につけた状態で機体３から取り外して電源接続用端子台１７への電源作業ができる。
【００３１】
また、端子台ベース１８と端子台ボックス風路側表面２０とを平行にしたため、端子台ベース１８と端子台ボックス風路側表面２０の間の空間の空気が抵抗なく出入りして、端子カバー２４の連通通気口２５からの空気と交わることができる。
【００３２】
また、端子カバー２４の連通通気口２５を電源線挿入用開口２７以外の箇所に設けたため、取り扱いしたい吸込空気の温度の高さに応じて、連通通気口２５の開口面積を簡単に設計できる。
【００３３】
このように本発明の実施の形態１の消音ボックス付送風機によれば、簡単な構造で、電源作業性を容易にしながら、吸込空気により機体が高温になる場合での電源接続用端子台の温度の上昇を防止できることとなる。
【００３４】
また、端子台ボックスを簡単な構造としたので、機体を小さくできるため、天井裏の高さを低くすることで室内の居住空間高さ空間を広く確保することができるという効果もある。
【００３５】
なお、本発明の実施の形態では、電源接続用端子台１７を備える部品をボックス状の端子台ボックス１９とし、端子台ボックス１９をカバーする端子カバー２４を平板状として説明しているが、端子台ボックスを平板状とし、端子カバーをボックス状としてもその作用効果に差異はない。
【００３６】
（実施の形態２）
図５に示すように、端子台ベース１８と端子台ボックス風路側表面２０の間の空間は、垂直方向に対向する２面が開口３７して端子台ベース１８を形成する構成とする。
【００３７】
また、端子台ベース１８と端子台ボックス風路側表面２０の間の空間を５から２０ｍｍの間に設定して、端子台ベース１８を形成する構成とする。
【００３８】
上記構成により、端子台ベース１８と端子台ボックス風路側表面２０の間の空間は、垂直方向に２面が開口３７して端子台ベース１８を形成したため、吸込空気により機体３が高温になる場合に、端子台ベース１８と端子台ボックス風路側表面２０の間の暖かい空間は上昇気流として抵抗なく上部より排出して、端子カバー２４の連通通気口２５からの空気と交わることができる。
【００３９】
また、端子台ベース１８と端子台ボックス風路側表面２０の間の空間を５から２０ｍｍの間に設定して端子台ベース１８を形成したため、端子台ベース１８と端子台ボックス風路側表面２０の間の空間の空気が抵抗なく出入りしながら、端子台ベース１８を必要な最小限の寸法にできる。なお、最小５ｍｍは端子台ベース１８の曲げ部２２を金型などで成型するための製造上の一般的な最小寸法であり、最大２０ｍｍは実際の測定確認から１２ｍｍにて伝熱防止効果が確認できたため、実用上２０ｍｍあれば効果は十分であると考えられるためである。
【００４０】
このように本発明の実施の形態２の消音ボックス付送風機によれば、部品寸法を小さくしながら、簡単な構造で、吸込空気により機体が高温になる場合での電源接続用端子台１７の温度の上昇を効果的に防止できることとなる。
【００４１】
（実施の形態３）
図６に示すように、端子台ボックス風路側表面２０の裏面となる機体３内の風路８側に、断熱材３８を配置する構成とする。
【００４２】
また、端子台ボックス風路側表面２０と断熱材３８を一体の断熱材料で形成する構成とする。
【００４３】
上記構成により、端子台ボックス風路側表面２０の裏面の機体３内の風路８側に断熱材３８を配置したため、吸込空気により機体が高温になる場合での端子台ボックス風路側表面２０の温度上昇を防止できる。
【００４４】
また、端子台ボックス風路側表面２０と断熱材３８を一体の断熱材料で形成して配置したため、吸込空気により機体が高温になる場合での端子台ボックス風路側表面２０の温度上昇を防止できる。
【００４５】
このように本発明の実施の形態３の消音ボックス付送風機によれば、構造を簡易化できながら、電源接続用端子台の温度の上昇をさらに防止できることとなる。
【００４６】
（実施の形態４）
図７に示すように、風路８内のドレン水を受けるドレンパン３９を、機体底面に配置する構成とする。
【００４７】
上記構成により、風路内のドレン水を受けるドレンパン３９を、機体底面に配置したため、吸込空気により機体が高温かつ高湿になる場合に、風路内の内部結露により発生するドレン水を排水できる。
【００４８】
このように本発明の実施の形態４の消音ボックス付送風機によれば、簡単な構造でドレン水の排水を可能にできることとなる。
【産業上の利用可能性】
【００４９】
換気送風機器などの空気搬送目的以外に、排気構造を用いて設備機器の冷却ができ、コンパクトに設置できる設備機器の送風の用途にも適用できる。
【符号の説明】
【００５０】
１  機体吸込口
２  機体吹出口
３  機体
８  風路
９  遠心送風機
１１  スクロールケーシング
１７  電源接続用端子台
１８  端子台ベース
１９  端子台ボックス
２０  端子台ボックス風路側表面
２１  電源接続用端子台接触面
２２  曲げ部
２３  曲げ部の端部
２４  端子カバー
２５  連通通気口
２７  電源線挿入用開口
３７  開口
３８  断熱材
３９  ドレンパン
【図１】
2010270693.tif 000003
【図２】
2010270693.tif 000004
【図３】
2010270693.tif 000005
【図４】
2010270693.tif 000006
【図５】
2010270693.tif 000007
【図６】
2010270693.tif 000008
【図７】
2010270693.tif 000009
【図８】
2010270693.tif 000010
【図９】
2010270693.tif 000011